(57)【特許請求の範囲】
【請求項１】
生地等に付着した汚れを洗い落とす洗浄用スプレーガンであって、
持ち手（３）の上部に取り付けられ、先端ノズル（５）を有し、モータ（２０）とカム（１８）やリンクによってピストンポンプ（７）のピストン（９）を往復動させ、洗浄液を断続的に噴射するスプレーガン（１）と、
前記スプレーガン（１）と併設され、前記スプレーガン（１）の先端ノズル（５）に平行にのびる先端ノズル（６）を有し、エアを噴射するエアガン（２）と、
前記持ち手（３）に設けられ、前記スプレーガン（１）を駆動し、洗浄液を噴射することができ、前記エアガン（２）を駆動し、エアを噴射することもでき、前記スプレーガン（１）とエアガン（２）を切り換え、使い分けることもできるスイッチとからなる洗浄用スプレーガン。
【請求項２】
生地等に付着した汚れを洗い落とす洗浄用スプレーガンであって、
持ち手（３）の上部に取り付けられ、先端ノズル（５）を有し、リニアモータによってピストンポンプのピストンを往復動させ、洗浄液を断続的に噴射するスプレーガン（１）と、
前記スプレーガン（１）と併設され、前記スプレーガン（１）の先端ノズル（５）に平行にのびる先端ノズル（６）を有し、エアを噴射するエアガン（２）と、
前記持ち手（３）に設けられ、前記スプレーガン（１）を駆動し、洗浄液を噴射することができ、前記エアガン（２）を駆動し、エアを噴射することもでき、前記スプレーガン（１）とエアガン（２）を切り換え、使い分けることもできるスイッチとからなる洗浄用スプレーガン。
【発明の詳細な説明】
【０００１】
【産業上の利用分野】
本発明は洗浄用のスプレーガンに関するものであり、それもエヤー専用の噴射ノズルを備えたエヤーガンを兼ね備えたスプレーガンに関する。
【０００２】
【従来の技術】
スプレーガンにはピストンポンプを備えた型式のものが使われているが、ピストンの往復動によって噴射する洗浄液は断続的となって先端から噴射して繊維製品や機器等にかけられ、汚れを落とす場合に使用されている。図３は従来の洗浄用スプレーガンを示しているが、ピストンポンプ(イ) の先端に噴射ノズル(ロ) を有し、ピストンポンプ(イ) を往復動するピストン(ハ) によって供給ホース（ニ)から洗浄液を吸い上げて噴射ノズル(ロ) から噴射する。
【０００３】
ここで、ピストン(ハ) はモータ(ホ) にて往復動させられることになるが、該モータ(ホ) の軸(ヘ) はカムリング(ト) に連結し、カムリング(ト) には偏心軸(チ) が設けられている。そして、この偏心軸(チ) はスライダー(リ) の遊嵌溝(ヌ) に遊嵌していて、上記カムリング(ト) が回転するならばスライダー(リ) は偏心軸(チ) の偏心量の範囲内で往復動することになる。上記ピストン(ハ) はスライダー(ト) に連結している為に、ピストン(ハ) も往復動することになる。
【０００４】
該ピストン(ハ) の往復動に伴って供給ホース（ニ)から吸い上げられた洗浄液は噴射ノズル(ロ) から断続的に噴射して生地に付着している汚れが洗い落とされることになるが、生地の性質や汚れ具合によっては上記噴射ノズル(ロ) から噴射する洗浄液では不適当な場合がある。例えば、絹等の薄手の生地に洗浄液を高速で噴射するならば該生地は傷んだり、時には破れることがある。そこで生地に付着した汚れを落とす為に超音波を利用することもある。すなわち、洗浄液を生地に落としてホーンを当てて振動させることでキャビティションと洗浄液の相乗効果にて汚れが落とされる。
【０００５】
このように洗浄用スプレーガンの型式は色々あって、基本的には先端ノズルから洗浄液を噴射して汚れを洗い落とすことが出来る訳であるが、単に洗浄液を汚れ箇所に噴射して洗い落としても、該汚れを含んだ洗浄液が周囲に広がっただけであって、このまま乾燥しても生地にはシミが残ってしまう。従って、洗浄液を噴射して汚れが洗い落とされた後で、エヤーを噴射して生地に付着している洗浄液を吹き飛ばさなくてはならないが、その為に従来の洗浄用スプレーガンを用いて作業する場合には、別にエヤーを噴射するエヤーガンが使用されている。
【０００６】
【本発明が解決しようとする課題】
このように、従来型式の洗浄用スプレーガンには上記のごとき問題がある。本発明が解決しようとする課題はこの問題点であって、エヤーガンを別に用いることなく、スプレーガンにエヤーガンを併設した洗浄用スプレーガンを提供する。
【０００７】
【問題を解決するための手段】
この発明によれば、生地等に付着した汚れを洗い落とす洗浄用スプレーガンであって、
持ち手の上部に取り付けられ、先端ノズルを有し、モータとカムやリンクによってピストンポンプのピストンを往復動させ、洗浄液を断続的に噴射するスプレーガンと、
前記スプレーガンと併設され、前記スプレーガンの先端ノズルに平行にのびる先端ノズルを有し、エアを噴射するエアガンと、
前記持ち手に設けられ、前記スプレーガンを駆動し、洗浄液を噴射することができ、前記エアガンを駆動し、エアを噴射することもでき、前記スプレーガンとエアガンを切り換え、使い分けることもできるスイッチとからなる洗浄用スプレーガンが提供される。
【０００８】
モータとカムやリンクではなく、リニアモータによってピストンポンプのピストンを往復動させ、洗浄液を断続的に噴射するようにしてもよい。
【０００９】
【実施例】
図１は本発明の洗浄用スプレーガンの実施例を示す。同図の１はスプレーガン、２はエヤーガンを示し、本発明の洗浄用スプレーガンはスプレーガン１とエヤーガン２を併設した構造をなし、必要に応じて使い分け出来る。スプレーガン１は持ち手３の上部に取り付けされ、一方のエヤーガン２は連結具４を介してスプレーガン１に隣り合っている。持ち手３にはモータが内蔵されていて、スプレーガン１のピストンを往復動して洗浄液を先端ノズル５から噴出することが出来る。そしてエヤーガン２は先端ノズル６からエヤーを噴射することになる。
【００１０】
ここで、スプレーガン１の構造は特に限定せず、洗浄液をノズルから噴射する為のピストンポンプを駆動する手段はカムやリンク、又はリニアーモータを用いることが出来る。図２はカムを用いた駆動方式であって、ピストンポンプ７はシリンダー８と該シリンダー８内を往復動するピストン９とで構成し、また該シリンダー８には供給ホース１０が連結されて洗浄液の供給口１１を形成している。供給口１１からシリンダー８に入った洗浄液はピストン９が前進することで先端ノズル５から噴出する。しかし僅かの洗浄液は噴出することなくドレーンとして流出する。ケーシング１２の下方にはドレーンホース１３を接続し、排出口１４からドレーンは該ドレーンホース１３に流出する。
【００１１】
ところで、ピストン９の後端にはツバ１５が形成され、該ツバ１５はスライダー１６のネジ穴に嵌入してネジ止めされている。従って、スライダー１６がケーイシング１２のガイド溝又はガイド孔１７に沿ってスライドするならば、上記ピストン９も同じくスライドすることになる。スライダー１６のスライド運動（往復動）はカムリング１８に形成された偏心軸１９の回転によって行われる。
【００１２】
上記カムリング１８は持ち手３に内蔵されているモータ２０の軸２１に固定され、該軸２１が回転するならば偏心軸１９は偏心運動を行ってスライダー１６は偏心距離ａの２倍の範囲で往復動を繰り返すことになる。スライダー１６が前進する場合にはピストン９も前進し、上記供給ホース１０から流入した洗浄液を先端ノズル５から噴射する。逆にスライダー１６が後退する場合にはピストン９も後退して供給ホース１０から洗浄液を吸い込み、同時にケーシング１２の後端部に形成されている空間２２の空気を圧縮する。
【００１３】
すなわち、このスプレーガンはケーシング１２の後端にエヤーポンプを備えたものであり、上記スライダー１６はエヤーポンプのピストンとして機能する。圧縮された空気は出口２３に設けた弁２４からホース２５を流れてシリンダー８とスライダー１６の間に形成される空間２６に導かれ、該空間２６の底に溜るドレーンを強制的にドレーンホース１３に排出する。該ドレーンホース１３は排出口１４の下端で湾曲して上方へ導かれるが、上記エヤーポンプから送られる圧縮空気に押されてドレーンはドレーンホース１３を流れる。
【００１４】
上記モータ２０のケーシングはスプレーガンの持ち手３となっていて、該持ち手３にはスイッチ（図示なし）を備えていて、スイッチ操作によってモータ２０を回転させる。モータが回転するならばピストンポンプ７を駆動し、先端ノズル５から洗浄液が断続的に噴射する。この噴射液を生地に付着している汚れに当てることで該汚れは洗い落とされる。
【００１５】
本発明の洗浄用スプレーガンは洗浄液を噴射するスプレーガン１の他にエヤーガン２を備えていて、該エヤーガン２の先端ノズル６からはエヤーが噴射する。上記洗浄液を生地の汚れ部分に噴射することで、該汚れは洗い落とされることになるが、洗浄液が付着したままの状態で生地を乾燥させる場合、洗浄液に汚れが残っている場合もあって、これが乾燥することでシミとなって現れる。従って、エヤーガン２から噴射するエヤーを付着した洗浄液にかけて吹き飛ばす。
【００１６】
エヤーガン２には別に設けているエヤーコンプレッサーから導かれるエヤーホース２７が接続していて、持ち手３に設けているスイッチを押すことでエヤーが噴射する。スプレーガン１とエヤーガン２を適度に使い分けすることが出来る。以上述べたように、本発明の洗浄用スプレーガンは洗浄液を噴射するスプレーガンとエヤーを噴射するエヤーガンを備えたものであって、次のような効果を得ることが出来る。
【００１７】
【発明の効果】
本発明の洗浄用スプレーガンはスプレーガンから洗浄液を噴射して生地に付着している汚れを洗い落とすことが出来る。そして、生地に付着している洗浄液はエヤーガンから噴射するエヤーによって吹き飛ばされ、乾燥した後の生地にはシミが残ることは全くない。そして、スプレーガンとエヤーガンとはスイッチ一つで切り変わり、自由にしかも簡単に使い分けすることが出来る。
【図面の簡単な説明】
【図１】本発明の洗浄用スプレーガンを示す実施例。
【図２】スプレーガンの断面図。
【図３】従来の洗浄用スプレーガン。
【符号の説明】
１  スプレーガン
２  エヤーガン
３  持ち手
４  連結具
５  ノズル
６  ノズル
７  ピストンポンプ
８  シリンダー
９  ピストン
10  供給ホース
11  供給口
12  ケーシング
13  ドレーンホース
14  排出口
15  ツバ
16  スライダー
17  ガイド孔
18  カムリング
19  偏心軸
20  モータ
21  軸
22  空間
23  出口
24  弁
25  ホース
26  空間
27  エヤーホース
【図１】
0003708264.tif 000002
【図２】
0003708264.tif 000003
【図３】
0003708264.tif 000004